(57)【特許請求の範囲】
【請求項１】
基材と、
前記基材の一方の面の一の部分にコレステリック液晶インキを用いて形成され、入射した光のうち、左回り偏光又は右回り偏光のいずれか一方の光のみを反射する第１の光選択反射層と、
前記基材の一方の面の他の部分にコレステリック液晶インキを用いて形成され、入射した光のうち、左回り偏光又は右回り偏光のいずれか他方の光のみを反射する第２の光選択反射層と、
前記第１の光選択反射層の一部にエンボスホログラム又は回折格子のいずれか一方がプレス形成され、真正品を判定する第１の判定情報を備える第１の判定部と、
前記第２の光選択反射層の一部にエンボスホログラム又は回折格子のいずれか一方がプレス形成され、真正品を判定する第２の判定情報を備える第２の判定部と
を有する真偽判定体。
【請求項２】
請求項１に記載の真偽判定体の使用方法であって、
前記真偽判定体が反射した光を直線偏光に変換する位相板と、その位相板が変換した直線偏光のうち、所定の偏光面を有する直線偏光のみを透過する偏光子とを有する第１の真偽判定具と、
前記真偽判定体が反射した光を直線偏光に変換する位相板と、その位相板が変換した直線偏光のうち、前記第１の真偽判定具が透過した直線偏光と異なる直線偏光のみを透過する偏光子とを有する第２の真偽判定具と
を用いて、
第１の真偽判定具を通して見ると、前記第１の判定情報が目視可能になって、第２の真偽判定具を通して見ると、前記第２の判定情報が目視可能になるときは、真正品であると判定する
ことを特徴とする真偽判定体の使用方法。
【請求項３】
基材と、
前記基材の一方の面にコレステリック液晶インキを用いて形成され、入射した光のうち、左回り偏光又は右回り偏光のいずれか一方の光のみを反射する光選択反射層と、
前記光選択反射層の一部にエンボスホログラム又は回折格子のいずれか一方がプレス形成され、真正品を判定する判定情報を備える判定部と
を有する真偽判定体の使用方法であって、
前記真偽判定体が反射した光を直線偏光に変換する位相板と、その位相板が変換した直線偏光のうち、所定の偏光面を有する直線偏光のみを透過する偏光子とを有する第１の真偽判定具と、
前記真偽判定体が反射した光を直線偏光に変換する位相板と、その位相板が変換した直線偏光のうち、前記第１の真偽判定具が透過した直線偏光と異なる直線偏光のみを透過する偏光子とを有する第２の真偽判定具と
を用いて、
第１の真偽判定具を通して見ると、前記判定情報が目視可能になって、第２の真偽判定具を通して見ると、前記判定情報が目視不能になるときは、真正品であると判定する
ことを特徴とする真偽判定体の使用方法。
【発明の詳細な説明】
【０００１】
【発明の属する技術分野】
本発明は、商品券その他の金券類等の真正品、偽造品を判別するための真偽判定体及びその使用方法に関するものである。
【０００２】
【従来の技術】
従来から、この種の金券類等の偽造防止を図るために、見る角度によって、色彩が変化する色彩変化部を設けた偽造防止印刷物が普及してきている。このような色彩変化部は、例えば、パールインキなどのように、見る角度によって色彩が変化する色彩変化インキを印刷することで形成している。
パールインキは、薄膜状の金属粒子などを顔料として含んでおり、この金属粒子によって光を多重反射する。この反射された光は、金属粒子の厚さによって、光の波長、すなわち色が決まり、この光が互いに干渉しあうことで、色彩変化を生じる。
【０００３】
【発明が解決しようとする課題】
しかし、前述した従来の印刷物では、同一の色彩変化を生じるものを作製することは、困難であった。
すなわち、パールインキによる色彩変化は、前述の通り、金属粒子の厚さによって決まる反射光の干渉作用により生じるので、光が干渉するように金属粒子の厚さは、近似しながらも、ある程度ばらついていることが必要である。そのばらつき具合が異なると、色彩変化具合も異なる。
【０００４】
ところが、金属粒子の厚さのばらつき具合が同程度のものを安定して供給することは困難であり、生産ロット等が変わると、そのばらつき具合も変わってしまうことが多いので、同一の色彩変化を生じるものを作製することは、困難であった。
そのため、真正品であるにもかかわらず、色彩変化具合が異なるために、偽造品であると判別されてしまう可能性があった。
【０００５】
本発明の課題は、簡単かつ確実に、真偽判定を行うことができる真偽判定体とその使用方法を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。
【０００７】
前記課題を解決するために、請求項１の発明は、基材（１１）と、基材（１１）の一方の面の一の部分にコレステリック液晶インキを用いて形成され、入射した光（５０）のうち、左回り偏光（５１）又は右回り偏光（５２）のいずれか一方の光（５１）のみを反射する第１の光選択反射層（１２−１）と、基材（１１）の一方の面の他の部分にコレステリック液晶インキを用いて形成され、入射した光（５０）のうち、左回り偏光（５１）又は右回り偏光（５２）のいずれか他方の光（５２）のみを反射する第２の光選択反射層（１２−２）と、第１の光選択反射層（１２−１）の一部にエンボスホログラム又は回折格子のいずれか一方がプレス形成され、真正品を判定する第１の判定情報を備える第１の判定部（１２ａ−１）と、第２の光選択反射層（１２−２）の一部にエンボスホログラム又は回折格子のいずれか一方がプレス形成され、真正品を判定する第２の判定情報を備える第２の判定部（１２ａ−２）とを有する真偽判定体である。
【０００８】
請求項２の発明は、請求項１に記載の真偽判定体の使用方法であって、前記真偽判定体が反射した光（５１，５２）を直線偏光（６１，６２）に変換する位相板（３１）と、その位相板（３１）が変換した直線偏光（６１，６２）のうち、所定の偏光面を有する直線偏光（６１）のみを透過する偏光子（３２ａ）とを有する第１の真偽判定具（３０ａ）と、前記真偽判定体が反射した光（５１，５２）を直線偏光（６１，６２）に変換する位相板（３１）と、その位相板（３１）が変換した直線偏光（６１，６２）のうち、前記第１の真偽判定具（３０ａ）が透過した直線偏光（６１）と異なる直線偏光（６２）のみを透過する偏光子（３２ｂ）とを有する第２の真偽判定具（３０ｂ）とを用いて、第１の真偽判定具（３０ａ）を通して見ると、前記第１の判定情報が目視可能になって、第２の真偽判定具（３０ｂ）を通して見ると、前記第２の判定情報が目視可能になるときは、真正品であると判定することを特徴とする真偽判定体の使用方法である。
【０００９】
請求項３の発明は、基材（１１）と、前記基材（１１）の一方の面にコレステリック液晶インキを用いて形成され、入射した光（５０）のうち、左回り偏光（５１）又は右回り偏光（５２）のいずれか一方の光（５１）のみを反射する光選択反射層（１２）と、前記光選択反射層（１２）の一部にエンボスホログラム又は回折格子のいずれか一方がプレス形成され、真正品を判定する判定情報を備える判定部（１２ａ）とを有する真偽判定体の使用方法であって、前記真偽判定体が反射した光（５１，５２）を直線偏光（６１，６２）に変換する位相板（３１）と、その位相板（３１）が変換した直線偏光（６１，６２）のうち、所定の偏光面を有する直線偏光（６１）のみを透過する偏光子（３２ａ）とを有する第１の真偽判定具（３０ａ）と、前記真偽判定体が反射した光（５１，５２）を直線偏光（６１，６２）に変換する位相板（３１）と、その位相板（３１）が変換した直線偏光（６１，６２）のうち、第１の真偽判定具（３０ａ）が透過した直線偏光（６１）と異なる直線偏光（６２）のみを透過する偏光子（３２ｂ）とを有する第２の真偽判定具（３０ｂ）とを用いて、第１の真偽判定具（３０ａ）を通して見ると、前記判定情報が目視可能になって、第２の真偽判定具（３０ｂ）を通して見ると、前記判定情報が目視不能になるときは、真正品であると判定することを特徴とする真偽判定体の使用方法である。
【００１１】
【発明の実施の形態】
以下、図面等を参照して、本発明の実施の形態について、さらに詳しく説明する。
（第１実施形態）
図１は、本発明による真偽判定体の第１実施形態の使用状態を示す図である。図中、（Ａ）は正面図、（Ｂ）は（Ａ）のＢ−Ｂ断面図である。
本実施形態の真偽判定体１０は、商品券２０に貼付して使用するものである。真偽判定体１０は、基材１１と、光選択反射層１２と、保護層１３と、接着層１４とを有する。
【００１２】
基材１１は、真偽判定体１０の担体となる基材である。基材１１は、後述する判定部１２ａを形成する際に、プレス圧力を吸収しない材料が好適であり、例えば、塩化ビニル、ＰＭＭＡ、ＰＥＴ、ＡＢＳ、ポリオレフィン、ＰＥＴ−Ｇ、ポリカーボネート、アクリロニトリル−スチレン共重合体、セルロースプロピオネート、セルロースアセテートブチレートなどの一般的に使用されるプラスチック材料等を用いるとよい。
【００１３】
光選択反射層１２は、入射した光のうち、左回り偏光又は右回り偏光のいずれか一方の光のみを反射する層であり、基材１１に形成されている。光選択反射層１２は、左回り偏光又は右回り偏光のいずれか一方の光のみを反射するコレステリック液晶（ｃｈｏｌｅｓｔｅｒｉｃ  ｌｉｑｕｉｄ  ｃｒｙｓｔａｌ（以下、「ＣＬＣ」という。））インキを使用して、グラビア印刷などの凹版印刷、オフセット方式などの平版印刷、凸版印刷、スクリーン印刷又はインクジェット印刷その他の通常用いられる方法で印刷することで形成することができる。
【００１４】
ＣＬＣインキは、顔料として、左回り偏光又は右回り偏光のいずれか一方の光のみを反射するＣＬＣ分子を含んでいる。
顔料としてインキに含まれるＣＬＣ分子は、反射効率及び印刷適性などを考慮して、粒径及び顔料濃度を適宜選択する必要がある。
なお、ＣＬＣ分子が、入射した光のうち、左回り偏光又は右回り偏光のいずれか一方の光を反射する理由については、後述する。
光選択反射層１２は、真正品を判定するための判定情報を備える判定部１２ａを備えている。
【００１５】
判定部１２ａは、真正品を判定するための判定情報を備える部分であり、光選択反射層１２に形成されている。判定部１２ａは、金型でプレスされて作製されるいわゆるエンボスホログラムで形成されている。
ここでは、判定部１２ａは、判定情報「ＤＮ」の形に形成されている。
また、通常のエンボスホログラムは、回折効率を向上させてホログラムの画像を目視確認しやすくするために、入射した光の反射率を上げる蒸着層を設けているが、この真偽判定体１０では、そのような蒸着層を設けなくてもよい。その理由については、後述する。
【００１６】
保護層１３は、光選択反射層１２、特に、判定部１２ａのエンボスを外力による損傷から保護する層であり、光選択反射層１２の上に設けられている。保護層１２は、判定情報等が目視し易いように、ほぼ透明である。保護層１３は、セルロース系樹脂、ポリイミド系樹脂、ポリスチレン系樹脂、ポリエステル系樹脂などを材料とする。保護層１３は、厚さが５〜２００μｍ程度で形成される。
【００１７】
接着層１４は、真偽判定体１０を商品券等の真偽判定対象物２０に接着可能にする層である。接着層１４は、アクリル系接着剤、天然ゴム系接着剤、合成ゴム系接着剤又はシリコーンゴム系接着剤などを塗布して形成することができる。
【００１８】
図２は、本発明による真偽判定体に使用するＣＬＣ分子の構造を示す模式図である。
ここで、ＣＬＣ分子が、入射した光のなかから、左回り偏光又は右回り偏光のいずれか一方の光のみを反射する理由について、説明する。
図２に示すように、ＣＬＣ分子は、液晶の分子軸を基準に数度ずつ回転して積み上げられた状態になっており、その回転方向によって、右又は左螺旋の構造の液晶分子となる。
【００１９】
液晶分子の螺旋構造と同じ回転方向の光が入射した場合は、光が反射し、液晶分子の螺旋構造と逆の回転方向の光が入射した場合は、光が透過する。
自然光は、左回り偏光と右回り偏光の両方の光を含むので、液晶分子の螺旋構造と同じ回転方向の偏光のみが反射して、逆の回転方向の偏光は、透過する。
【００２０】
また、ＣＬＣ分子は、ＣＬＣ分子の１／２ピッチの波長の光を強く反射することが知られている。すなわち、このピッチを調整することで、色を調整することができるので、さまざまな色の顔料として使用することができる。
【００２１】
図３は、本発明による真偽判定体に使用するＣＬＣ分子の光反射の様子を示す模式図である。図中、線の幅は、光量を表している。すなわち、ＣＬＣ分子は、上部（入射光側）ほど、反射する光量が多い。
ここで、真偽判定体１０は、蒸着層を有さなくてもよい理由について、説明する。
図３に示すように、ＣＬＣインキは、それぞれのＣＬＣ分子で光を反射するので、ＣＬＣ分子を含まない通常のエンボスホログラム構造に比べて、反射率が高い。また、判定部１２ａは、金型でプレスするエンボスホログラムで形成するので、プレス時に、ＣＬＣ分子の螺旋ピッチが変化して、屈折率変化を生じ、この屈折率変化によっても、反射を生じる。それらにより、真偽判定体１０は、蒸着層がなくてもよい。
【００２２】
図４は、本発明による真偽判定体の真偽判別を説明する図である。
なお、本実施形態では、真偽判定体１０は、左回り偏光５１を反射するＣＬＣ分子を含んで着色されている場合を挙げて説明する。
真偽判定体１０は、真偽判定具３０ａ，３０ｂで、真偽判定される。
第１真偽判定具３０ａは、位相板３１と、偏光子３２ａとを有する。
第２真偽判定具３０ｂは、位相板３１と、偏光子３２ｂとを有する。
【００２３】
位相板３１は、入射光に位相差を与えるための光学板であって、本実施形態では、いわゆる１／４波長板を使用している。１／４波長板は、円偏光を直線偏光に、また、直線偏光を円偏光に、変換する性質を有する光学板である。
位相板３１は、光選択反射層１２で反射した左回り偏光５１を透過して、上下方向の偏光面を有する直線偏光６１に変換する。
また、位相板３１は、光選択反射層１２を透過して、基材１１で反射した右回り偏光５２を透過して、左右方向の偏光面を有する直線偏光６２に変換する。
【００２４】
偏光子３２ａ，３２ｂは、通常は自然光を直線偏光に変換する素子であり、また、直線偏光が入射されたときは、特定の偏光面を有するもののみを透過する。
偏光子３２ａは、上下方向の偏光面を有する直線偏光を透過する偏光子であって、直線偏光６１を透過するが、直線偏光６２を透過しない。
偏光子３２ｂは、左右方向の偏光面を有する直線偏光を透過する偏光子であって、直線偏光６２を透過するが、直線偏光６１を透過しない。
【００２５】
自然光５０は、左回り偏光５１及び右回り偏光５２を含んでいる。
自然光５０が、真偽判定体１０に入射すると、以下のようになる。
（１）真偽判定体１０に入射した自然光５０のうち、左回り偏光５１は、光選択反射層１２で反射する。一方、右回り偏光５２は、光選択反射層１２を透過して、基材１１で反射する。
（２）（１）において、光選択反射層１２で反射した左回り偏光５１は、第１真偽判定具３０ａを透過できるが、第２真偽判定具３０ｂを透過できない。
ここで、光選択反射層１２のうち、判定部１２ａで反射した左回り偏光と、判定部１２ａ以外の部分で反射した左回り偏光とは、進行方向が異なるので、それによって明暗差が生じて、判定情報「ＤＮ」が目視可能になる。
（３）（１）において、基材１１で反射した右回り偏光５２は、第２真偽判定具３０ｂを透過できるが、第１真偽判定具３０ａは、透過できない。基材１１で反射した右回り偏光５２は、ＣＬＣ分子の１／２ピッチ波長の光であるので、その光を真偽判定体１０の色として確認することができる。
【００２６】
このようにして、真偽判定具を変えることで、真偽判定体１０の見え方が変わる。
【００２７】
（使用方法）
図５は、本発明による真偽判定体の第１実施形態の使用方法を示している図である。
真偽判定体１０は、以下のように使用して、真偽判定を行う。
（１）使用者は、真偽判定を行う前に、真偽判定体１０を目視する（図Ａ）。
このとき、真偽判定体１０は、自然光を反射するため、反射光量が多く、判定情報「ＤＮ」の文字は、マスキングされる。そのため、使用者は、判定情報「ＤＮ」の文字を明瞭に見ることはできない。
【００２８】
（２）（１）で真偽判定体１０を確認した使用者は、第１真偽判定具３０ａを通して、真偽判定体１０を目視する。
このとき、使用者は、光選択反射層１２で反射した左回り偏光５１を見ることができる。
光選択反射層１２のうち、判定部１２ａで反射した左回り偏光と、判定部１２ａ以外の部分で反射した左回り偏光とは、進行方向が異なるので、それが明暗差になる。さらに、基材１１で反射した右回り偏光５２は、第１真偽判定具３０ａによってカットされるので、使用者は、判定情報「ＤＮ」をハッキリと目視確認することができる（図Ｂ）。
【００２９】
（３）（２）で判定情報「ＤＮ」を目視確認した使用者は、第２真偽判定具３０ｂを通して、真偽判定体１０を見る。
このとき、使用者は、基材１１で、反射した右回り偏光５２を見ることができる。この反射光は、ＣＬＣ分子の１／２ピッチ波長の光であるため、その光を真偽判定体１０の色として確認することができる（図Ｃ）。
【００３０】
本実施形態によれば、入射した光のうち、左回り偏光５１又は右回り偏光５２のいずれか一方の光のみを反射する光選択反射層１２と、判定情報を備える判定部１２ａとを有するので、光選択反射層１２が反射する光を透過する真偽判定具３０ａを通して見ると、判定情報が目視可能になるため、簡単に真偽判定することができる。
また、判定部１２ａは、エンボスホログラムで形成されているので、判定情報は、虹色を呈するため、視覚効果が高い。
さらに、判定部１２ａは、ＣＬＣインキ層の上にプレス形成されているので、蒸着層がなくても、ホログラム効果を有する。
【００３１】
（第２実施形態）
図６は、本発明による真偽判定体の第２実施形態の使用方法を示している図である。
なお、以下に示す各実施形態では、前述した第１実施形態と同様の機能を果たす部分には、同一の符号を付して、重複する説明を適宜省略する。
真偽判定体１０−２の光選択反射層は、左側が左回り偏光のみを反射するＣＬＣインキで印刷された第１光選択反射層１２−１であり、右側が右回り偏光のみを反射するＣＬＣインキで印刷された第２光選択反射層１２−２である。このように、光選択反射層は、異なるＣＬＣインキを塗り分けて印刷されている。
真偽判定体１０−２は、以下のように使用して、真偽判定を行う。
（１）使用者は、真偽判定を行う前に、真偽判定体１０−２を目視確認する（図Ａ）。
このとき、使用者は、判定情報「ＤＮ」の文字をうっすらと目視することができる。
【００３２】
（２）（１）で真偽判定体１０−２を確認した使用者は、第１真偽判定具３０ａを通して、真偽判定体１０−２を見る。
このとき、使用者は、第１光選択反射層１２−１で反射した左回り偏光５１によって、第１判定情報「Ｄ」を明瞭に目視することができる（図Ｂ）。
【００３３】
（３）（２）で第１判定情報「Ｄ」を確認した使用者は、第２真偽判定具３０ｂを通して、真偽判定体１０−２を見る。
このとき、使用者は、第２光選択反射層１２−２で反射した右回り偏光５２によって、第２判定情報「Ｎ」を明瞭に目視することができる（図Ｃ）。
【００３４】
本実施形態によれば、光選択反射層１２−１，１２−２は、インキを塗り分けて形成するので、異なる真偽判定具３０ａ，３０ｂを使用して、異なる判定情報を確認することができるため、より正確に真偽判定することができる。
また、光選択反射層１２−１，１２−２は、異なるインキを塗り分けて形成するので、意匠性に優れたものが作製できる。
なお、光選択反射層１２−１，１２−２は、デザインによって、複数箇所に分けて配置したり、それぞれ色を変えてもよく、そのようにすれば、一層意匠性に優れたものが作製できる。
【００３５】
（第３実施形態）
図７は、本発明による真偽判定体の第３実施形態の使用状態を示している図である。
本実施形態の真偽判定体１０−３は、社員証２０の顔写真部に貼付して使用するものである。
【００３６】
真偽判定体１０−３は、社員証２０の顔写真が見やすいように、ほぼ透明に作製されている。
すなわち、基材１１及び接着層１４は、ほぼ透明のもので形成されている。
また、光選択反射層１２は、左回り偏光のみを反射するＣＬＣ分子を含んでいるが、その含有密度は、第１実施形態の真偽判定体１０に比較して、疎であるため、社員証２０の顔写真が見やすい。
【００３７】
（使用方法）
図８は、本発明による真偽判定体の第３実施形態の使用方法を示している図である。
真偽判定体１０−３は、以下のように使用して、真偽判定を行う。
（１）使用者は、真偽判定を行う前に、真偽判定体１０−３を目視確認する（図Ａ）。
このとき、使用者は、社員証２０の顔写真と、うっすらとした判定情報「ＤＮ」の文字とを目視することができる。
【００３８】
（２）（１）で真偽判定体１０−３を確認した使用者は、光選択反射層１２で反射した左回り偏光５１のみを透過する真偽判定具３０ａを通して、真偽判定体１０−３を見る。
このとき、使用者は、判定部１２ａの判定情報「ＤＮ」を明瞭に目視することができる。また、社員証２０の顔写真で反射した右回り偏光５２は、真偽判定具３０ａを透過することができないので、顔写真は見えない（図Ｂ）。
【００３９】
本実施形態によれば、基材１１及び接着層１４は、ほぼ透明であるとともに、光選択反射層１２が含有しているＣＬＣ分子は、疎であるので、真偽判定具３０ａを通して見ない場合に、社員証２０の顔写真が見やすい。
また、真偽判定具３０ａを通して見ると、判定部１２ａの判定情報「ＤＮ」を明瞭に目視することができるので、簡単に真偽判定することができる。
【００４０】
（変形形態）
以上説明した実施形態に限定されることなく、種々の変形や変更が可能であって、それらも本発明の均等の範囲内である。
例えば、判定部１２ａは、回折格子により形成してもよい。
また、保護層１３は、光選択反射層１２に外力が加わらない等により、損傷する恐れがないときは、設けなくてもよい。
また、図９に示すように、商品券にスレッドとして、真偽判定体１０をすき込んでもよい。そのようにすれば、接着層１４は、不用である。
【００４１】
さらに、図１０（Ａ）に示すように、基材１１を最表面に配置して、商品券等に貼付してもよい。また、図１０（Ｂ）に示すように、基材１１と、光選択反射層１２との間に剥離層１５を設けて転写箔構造としてもよい。なお、いずれの場合においても、光選択反射層１２を保護する保護層１３を設けてもよい。
【００４２】
【発明の効果】
以上詳しく説明したように、本発明によれば、入射した光のうち、左回り偏光又は右回り偏光のいずれか一方の光のみを反射する光選択反射層と、真正品を判定する判定情報を備える判定部とを有するので、真偽判定具を通して見ると判定情報が目視可能になり、真偽判定することができる。
【００４３】
本発明によれば、入射した光のうち、左回り偏光又は右回り偏光のいずれか他方の光のみを反射する第１の光選択反射層と、第２の光選択反射層と、判定情報を備える第１の判定部と、第２の判定情報を備える第２の判定部とを有するので、より正確に真偽判定することができる。
【００４４】
本発明によれば、真偽判定体が反射した光を直線偏光に変換する位相板と、その位相板が変換した直線偏光のうち、所定の偏光面を有する直線偏光のみを透過する偏光子とを有する真偽判定具を通して見たときに、基材に表示されている情報が目視不能になるとともに、判定情報が目視可能に現れるときは、真正品であると判定するので、簡単に真偽判定することができる。
【００４５】
本発明によれば、真偽判定体が反射した光を直線偏光に変換する位相板と、その位相板が変換した直線偏光のうち、所定の偏光面を有する直線偏光のみを透過する偏光子とを有する第１の真偽判定具と、第２の真偽判定具とを用いて見たときに、見え方が変わることで、真正品であると判定するので、より正確に真偽判定することができる。
【００４６】
本発明によれば、真偽判定体が反射した光を直線偏光に変換する位相板と、その位相板が変換した直線偏光のうち、所定の偏光面を有する直線偏光のみを透過する偏光子とを有する第１の真偽判定具と、第２の真偽判定具とを用いて見たときに、異なる判定情報が見えることで、真正品であると判定するので、より正確かつ簡単に真偽判定することができる。
【図面の簡単な説明】
【図１】本発明による真偽判定体の第１実施形態の使用状態を示す図である。
【図２】本発明による真偽判定体に使用するＣＬＣ分子の構造を示す模式図である。
【図３】本発明による真偽判定体に使用するＣＬＣ分子の光反射の様子を示す模式図である。
【図４】本発明による真偽判定体の真偽判別を説明する図である。
【図５】本発明による真偽判定体の第１実施形態の使用方法を示す図である。
【図６】本発明による真偽判定体の第２実施形態の使用方法を示す図である。
【図７】本発明による真偽判定体の第３実施形態の使用状態を示す図である。
【図８】本発明による真偽判定体の第３実施形態の使用方法を示す図である。
【図９】本発明による真偽判定体の第４実施形態の使用状態を示す図である。
【図１０】本発明による真偽判定体の他の実施形態を示す断面図である。
【符号の説明】
１０  真偽判定体
１１  基材
１２  光選択反射層
１２ａ  判定部
１３  保護層
１４  接着層
１５  剥離層
２０  真偽判定対象物（商品券、身分証）
３０ａ，３０ｂ  真偽判定具
３１  位相板
３２ａ，３２ｂ  偏光子
５０  自然光
５１  左回り偏光
５２  右回り偏光
６１，６２  直線偏光
【図１】
0004278731.tif 000002
【図２】
0004278731.tif 000003
【図３】
0004278731.tif 000004
【図４】
0004278731.tif 000005
【図５】
0004278731.tif 000006
【図６】
0004278731.tif 000007
【図７】
0004278731.tif 000008
【図８】
0004278731.tif 000009
【図９】
0004278731.tif 000010
【図１０】
0004278731.tif 000011